(57)【特許請求の範囲】
【請求項１】
複数項目で構成される入力リストに必要な情報を入力して入力情報を生成する情報入力装置に於いて、
操作者が検索要求であることを表す検索要求記号および検索キーワードからなる検索要求文字列を入力する検索要求部と、
検索要求記号の文字数を定義する入力文字数テーブルと、検索データベース名，検索項目名，検索方法，検索結果として選択リストに商品コード番号を設定する設定項目名，検索結果として選択リストに表示する表示項目名からなるマスタレコードを定義するマスタテーブルとから構成され前記検索要求記号がインデックスとして供給されたとき該検索要求記号に対応したマスタレコードを出力する定義テーブルと、
操作者が前記入力リストの項目欄に検索要求記号と検索キーワードを組み合わせた検索要求文字列を入力することによって前記入力文字数テーブルで検索要求記号が認識され、該認識された検索要求記号に基づいて前記マスタテーブルを参照して検索条件であるマスタレコードを獲得し、該マスタレコードと前記検索要求記号が認識された後の残りの文字列である検索キーワードに基づいてデータベースを検索して検索結果である選択リストを前記入力リストに重ね合わせて表示する検索処理部と、
を備えたことを特徴とする情報入力装置。
【請求項２】
複数項目で構成される入力リストに必要な情報を入力して入力情報を生成する情報入力方法に於いて、
操作者が検索要求であることを表す検索要求記号および検索キーワードからなる検索要求文字列を検索要求部に入力し、
検索要求記号の文字数が定義されている入力文字数テーブルに前記検索要求部から前記検索要求文字列が入力されることによって検索処理部が検索要求記号を認識し、
検索データベース名、検索項目名、検索方法、検索結果として選択リストに商品コード番号を設定する設定項目名、検索結果として選択リストに表示する表示項目名からなるマスタレコードを定義するマスタテーブルとから構成される定義テーブルに前記認識された検索要求記号をインデックスとして供給することで検索処理部がマスターテーブルからマスタレコードを獲得し、
該マスタレコードと前記検索要求記号が認識された後の残りの文字列である検索キーワードに基づいてデータベースを検索して検索処理部が検索結果である選択リストを前記入力リストに重ね合わせて表示する
処理を行うことを特徴とする情報入力方法。
【請求項３】
コンピュータに、
操作者が検索要求部に検索要求であることを表す検索要求記号および検索キーワードからなる検索要求文字列を入力したとき該検索要求文字列を検出するステップ、
前記検索要求部から検索処理部内に設けられている検索要求記号の文字数が定義されている入力文字数テーブルに前記検索要求文字列を入力することによって検索処理部が検索要求記号を認識するステップ、
検索データベース名、検索項目名、検索方法、検索結果として選択リストに商品コード番号を設定する設定項目名、検索結果として選択リストに表示する表示項目名からなるマスタレコードを定義するマスタテーブルに前記認識された検索要求記号をインデックスとして供給することで検索処理部がマスタレコードを獲得するステップ、
該マスタレコードと前記検索要求記号が認識された後の残りの文字列である検索キーワードに基づいてデータベースを検索して検索処理部が検索結果である選択リストを前記入力リストに重ね合わせて表示するステップ
を順次実行させることを特徴とする情報入力プログラム。
【発明の詳細な説明】
【０００１】
【発明の属する技術分野】
本発明は、商品発注等に必要な情報をオペレータが入力して入力情報を生成する情報入力装置及び方法に関し、特に複数項目で構成される入力リストに必要な情報を入力して入力情報を生成する情報入力装置、方法及びそのプログラムに関する。
【０００２】
【従来の技術】
従来、オペレータの入力操作を伴う情報処理システムにあっては、様々なコードを入力して処理している。例えば、商品の発注処理などを行うシステムの場合は、オペレータは、業者コードの入力から業者名を指定し、商品コードの入力から商品名を確定し、数量を入力する。
【０００３】
この場合、入力する業者や商品のコードをオペレータが記憶している場合には直接コードを入力し処理を行うが、商品名またはその一部の名前は分かっていても入力するコードまでは分からないというような場合は、検索画面から検索条件を指定して検索を行い、該当するデータの一覧表示の中からデータを選択および確定している。
【０００４】
また、その検索する項目や条件、検索結果一覧に表示する情報などは固定で、オペレータが任意に変更することができないものとなっている。
【０００５】
図１４は、従来の情報入力装置の一例であり、商品発注システムを例にとっている。
【０００６】
この従来の方法では、図１４（Ａ）の入力画面２００で複数項目で構成された入力リストの空き項目欄に新たな入力情報を設定する場合には、入力したい商品のコード名が不明であることから、検索ボタン２０２にマウスカーソルを移動してクリックすることで図１４（Ｂ）の検索画面２０４を開く。
【０００７】
このようにして開いた検索画面２０４において、検索ＤＢ名（検索データベース名）、検索項目名、検索方法及び検索文字を確定し、検索釦２０５をマウスクリックして検索を実行する。この検索の実行により例えば図１４（Ｃ）のような検索結果として選択リスト画面２０６が得られる。
【０００８】
オペレータは、選択リスト画面２０６の中の入力したい商品項目２０７をマウスクリックで選択すると、図１４（Ｄ）のように、対応する商品コード２０８が入力リストにおける空き項目欄の先頭に設定される。
【０００９】
【発明が解決しようとする課題】
しかしながら、このような従来の入力情報を生成する方法にあっては、コードを調べるためにマウスカーソルを検索釦に移動して検索画面を開き、検索画面で必要事項を入力して検索を行う必要があり、伝票入力のように幾つも入力する場合などは、その都度分からないコードに対して専用の検索画面を開く必要があり、しかも検索条件指定の操作をその都度行わなければならず、操作とレスポンスに手間と時間がかかる問題があった。
【００１０】
また、商品名、商品名の一部、メーカー、分類など様々な条件から検索を行う場合は、検索指定条件の情報が多くなるため、マウスやキーボードなどの操作が多くなり、さらに操作性やレスポンスが悪くなる。特に、近年、パソコンはウィンドウズ化され、入力処理はマウス操作が中心となってきているが、マウス操作は大量の入力処理には不向きであり、マウス操作を必要とする検索処理が入力操作の効率を下げている。
【００１１】
一方、検索条件を少なくすると、検索する方法が限られるため、オペレータが判断する範囲が狭くなり、機能面での低下及び利便性や効率の悪さにつながる。そこで、オペレータはコードと名前の一覧等の印刷物を装置の近くに貼り付けるなどして対応しているが、コード数が多くなると使用頻度の低いコードを見つけるのに手間がかり、また装置回りのスペース確保なども問題になっている。
【００１２】
本発明は、入力リストに簡単な記号と検索キーワードを入力するだけで必要な情報を自動的に検索して選択リストを表示する操作性の高い情報入力装置、方法及びそのプログラムを提供することを目的とする。
【００１３】
【課題を解決するための手段】
図１は本発明の原理説明図である。本発明は、複数項目で構成される入力リスト３０に必要な情報を入力して入力情報を生成する情報入力装置であって、検索要求記号と検索条件の関係を定義したテーブル２６と、入力リスト３０の空き項目欄に検索要求記号「／」と検索キーワード「チップ」を含む文字列「／チップ」を入力する検索要求部３２と、検索要求部３２から入力した検索要求記号「／」によるテーブル２６の参照で取得した検索条件と検索キーワード「チップ」とによりデータベースを検索し、入力リスト３０の空き項目欄に入れる選択可能な検索結果を表示する検索処理部２４とを設けたことを特徴とする。
【００１４】
このため本発明は、入力リストの空き項目欄に入力された検索要求記号と検索キーワードの文字列から、検索の必要性を判断して自動的に検索し、検索結果として選択可能な選択リストを表示するため、コードを調べるために検索画面を開いて検索条件を指定する必要がなく、入力リストの中で検索を行えるため、情報入力の効率、操作性、レスポンスを向上できる。
【００１５】
テーブル２６は、検索要求部３２から入力される検索要求記号の文字数を定義した入力文字数テーブル３４と、検索条件として検索データベース名、検索項目名、検索方法及び表示項目群を定義したマスタテーブル３６で構成され、検索処理部２４は、検索要求部３０から検索に必要な文字列が入力された際に、入力文字数テーブル３４の参照により検索要求記号と検索キーワードとに切り分けて処理する。このような入力文字数テーブルの設定により、入力文字列の中から確実に検索要求記号と検索キーワードを抽出して適切に自動検索ができる。
【００１６】
テーブル３４は、複数種類の１文字の検索要求記号、例えば「１，２，３，４，・・・・，／，＋−」といった記号に対応して異なる検索条件を定義し、検索処理部２４は、１文字の検索要求記号のいずれかを簡単な検索キーワードと共に入力することを特徴とする。このため１文字の検索要求記号を入力すれば、自動検索が行われ、オペレータの入力操作を更に軽減し、作業効率を高められる。
【００１７】
また本発明は、複数項目で構成される入力リストに必要な情報を入力して入力情報を生成する情報入力方法を提供するものであって、
検索要求記号と検索条件の関係をテーブルに定義し、
入力リストの空き項目欄に検索要求記号と検索キーワードを含む文字列を入力し、
入力した検索要求記号によるテーブルの参照で取得した検索条件と検索キーワードとによりデータベスを検索し、入力リストの空き項目欄に入れる入力情報として選択可能な検索結果を表示することを特徴とする。
【００１８】
更に本発明は、複数項目で構成される入力リストに必要な情報を入力して入力情報を生成する情報入力プログラムを提供するものであって、
コンピュータに、
検索要求記号と検索条件の関係をテーブルに定義し、
複数項目で構成される入力リストの空き項目欄に検索要求記号と検索キーワードを含む文字列を入力し、
入力した検索要求記号によるテーブルの参照で取得した検索条件と検索キーワードとによりデータベスを検索し、入力リストの空き項目欄に入れる入力情報として選択可能な検索結果を表示する、
ことを実行させることを特徴とする。
【００１９】
【発明の実施の形態】
図２は、本発明の情報入力装置が適用されるハードウエア構成の一例を示した説明図である。
【００２０】
図２は情報入力装置を適用するパーソナルコンピュータを例にとっており、中央処理装置１０、メモリ１２、ハードディスク等の記憶装置１４、入力装置としてのキーボード１６とマウス１８、更に表示装置２０で構成される。
【００２１】
図３は図２のマイクロコンピュータのハードウエア構成によって実現される本発明の情報入力装置の機能構成を示したブロック図である。
【００２２】
図３において、本発明の情報入力装置は、入出力部２２、検索処理部２４、定義テーブル２６及びデータベース２８で構成される。入出力部２２は図２のキーボード１６、マウス１８及び表示装置２０の機能として実現され、複数項目を１レコードとして構成される入力情報を作成するための入力リスト３０を表示画面に表示し、この入力リスト３０の空き項目欄に検索に必要な文字列を入力する検索要求部３２を備えている。
【００２３】
検索要求部３２は、入力リスト３０の空き項目欄に検索要求記号と検索キーワードで構成した文字列を検索要求として入力する。検索要求に使用する検索要求記号としては、入力操作を簡単にするために短い方が望ましく、本発明の実施形態にあっては例えば１文字の検索要求記号を複数種類準備している。
【００２４】
また検索要求記号と組み合わせて入力する検索キーワードとしては、入力リスト３０に入れたい商品の簡単な名前とか製造メーカーの略号など、検索条件に合わせたなるべく簡単な検索キーワードを入力する。  定義テーブル２６には、入力文字数テーブル３４とマスタテーブル３６が設けられている。またデータベース２８にはメーカマスタデータベース３８、商品マスタデータベース４０、ビュー／クエリーデータベース４２が設けられている。
【００２５】
定義テーブル２６に設けた入力文字数テーブル３４は、検索要求部３２より検索要求として入力する文字列に含まれる検索要求記号の文字数を定義している。図４は入力文字数テーブル３４の具体例であり、検索の必要性を判断する検索要求記号の文字数として、例えば「１」として１文字を定義している。
【００２６】
このため検索要求処理部２４は、検索要求部３２より検索要求記号と検索キーワードの文字列の入力を受けると、入力文字数テーブル３４を参照して検索要求記号の文字数「１」を認識し、文字列の先頭の１文字を検索要求記号として切り出し、残りの文字列を検索キーワードとして切り出す。
【００２７】
図３の定義テーブル２６に設けられたマスタテーブル３６は、検索要求部３２より検索要求として入力された検索要求記号と検索条件の関係を定義している。図５はマスタテーブル３６の具体例である。
【００２８】
図５において、マスタテーブル３６は、検索要求記号４４をインデックスとして、検索データベース名４６、検索項目名４８、検索方法５０、設定項目名５２、更に検索結果として選択リストに表示する複数の表示項目名を定義している。ここでマスタテーブル３６の検索要求記号４４としては、「／」「１」「２」「３」・・・「＋」「−」など、１文字の検索要求記号を設定している。
【００２９】
また検索データベース名４６としては、図３のデータベース２８に格納している例えば商品マスタデータベース４０を「Ｍ 商品」で設定し、またビュー／クエリーデータベース４２を「Ｑ 商品」で設定している。次の検索項目名４８は、商品名「Ｓ ＮＡＭＥ」やメーカ名（カナ）「Ｍ ＫＡＮＡ」などを設定している。
【００３０】
次の検索方法５０は、「完全一致」「前方一致」「後方一致」「含み文字」のいずれかを設定する。次の設定項目名５２は検索結果として表示する選択リストに設定する項目名であり、この場合には商品コード「Ｓ ＣＯＤＥ」を設定している。
【００３１】
続いて、検索結果としての選択リストに表示する表示項目名５４として、この例では表示項目名１，２，３を示しており、表示項目名１及び２にはメーカ名「Ｍ ＮＡＭＥ」や商品コード「Ｓ ＣＯＤＥ」を設定し、更に表示項目３には発注単位「ＴＡＮＩ」やメーカ名「Ｍ ＮＡＭＥ」などを設定している。
【００３２】
このようなマスタテーブル３６を定義テーブル２６に設けておくことで、検索処理部２４は検索要求部３２より検索要求として入力した１文字の検索要求記号によりマスタテーブル３６を参照し、対応する検索データベース名４６、検索項目名４８、検索方法５０、検索項目名５２及び検索表示項目名５４で構成される検索条件を獲得し、これに検索要求記号と共に入力された検索キーワードを使用してデータベース２８の検索を行い、検索結果として入力リスト３０の空き項目に入れることのできる複数の選択項目が表示された選択リストを生成する。
【００３３】
図５のマスタテーブル３６の内容は、システムを立ち上げる際にデフォルトとして設定されているが、この内容は、必要に応じてオペレータが自由に修正変更することができる。具体的には、テーブル修正画面が準備されており、この画面を使用してオペレータはマスタテーブル３６の検索要求記号４４、検索データベース名４６、検索項目名４８、検索方法５０、設定項目名５２を修正変更できる。尚、検索要求記号４４として例えば２文字を使用した場合には、この変更に伴って図４の入力文字数テーブル３４の内容も自動的に「２」に設定変更される。
【００３４】
図６は図３のメーカマスタデータベース３８の具体例である。このメーカマスタデータベース３８には、略称「Ｍ ＣＯＤＥ」のメーカコード５６、略称「Ｍ ＣＯＤＥ」のメーカ名５８、略称「Ｍ ＫＡＮＡ」のメーカ名（カナ）６０などが設定されている。
【００３５】
図７は図３の商品マスタデータベース４０の具体例である。この商品マスタデータベース４０には、略称「Ｍ ＣＯＤＥ」の商品コード６２、略称「Ｍ ＣＯＤＥ」のメーカコード６４、略称「ＴＡＮＩ」の発注単位６６、略称「Ｓ ＮＡＭＥ」の商品名６８、及び略称「Ｒ ＮＡＭＥ」などの略名７０が設定されている。
【００３６】
図８は図３のビュー／クエリーデータベース４２の具体例である。このビュー／クエリーデータベース４２には「Ｓ ＣＯＤＥ」の商品コード７２、「Ｍ ＣＯＤＥ」のメーカ名７４、「Ｍ ＮＡＭＥ」のメーカ名７６、「Ｍ ＫＡＮＡ」のメーカ名７８、略称「Ｓ ＮＡＭＥ」の商品名８０が設定されている。
【００３７】
図９は本発明の入力情報生成処理による表示画面の説明図である。まず図９（Ａ）の入力画面には、現在入力を行っている入力リスト３０が表示されている。この入力リスト３０は１行目の項目欄は既に入力を終了しており、次の空いている２行目の項目欄に入力を行おうとしている。この２行目の項目欄の入力について、オペレータは検索要求記号「＋」と検索キーワード「フジ」を組み合わせた文字列「＋フジ」を入力する。
【００３８】
入力文字列「＋フジ」が入力されると、図３の検索処理部２４は入力文字数テーブル３４の参照で検索要求記号が１文字であることを認識し、検索要求記号「＋」によるマスタテーブル３６の参照で検索条件を獲得し、データベース２８を検索する。このときの検索要求記号「＋」は、図５のマスタテーブル３６から検索方法は「前方一致」であり、また表示項目名５４は、表示項目名１〜３となっている。
【００３９】
この検索により検索結果として図９（Ｂ）の入力画面に示すように、入力リスト３０に重ねて選択リスト３１が表示される。選択リスト３１の中に表示された複数の項目について、オペーレータが例えば２行目の「グルメごのみ  チップポテト  コンソメ」をマウスクリックにより選択すると、図９（Ｃ）のように、入力リスト３０の２行目の項目欄に検索結果として得られたコード「０００００２４６」及び商品名「グルメごのみ  チップポテト  コンソメ」が自動的に設定される。続いてオペレータは２行目について、規格、量、単価、金額などを必要に応じて入力する。
【００４０】
図１０及び図１１は、図９の入力画面に対応した本発明による情報入力処理の手順を示した説明図である。まず図１０の検索要求入力８２として文字列「＋フジ」を入力する。続いて分離処理８４が行われ、図３の定義テーブル２６に設けている入力文字数テーブル３４の参照で検索要求記号が１文字であることを認識し、入力文字列から先頭の１文字を検索要求記号８６として切り出し、残りの文字列「フジ」を検索キーワード８８として切り出す。
【００４１】
この分離処理８４が済むと、反転処理８８のように、認識した検索要求記号８６である「＋」を文字色変更、反転もしくは点滅表示して、装置側で検索の必要性を認識したことを知らせる。
【００４２】
続いてマスタテーブル検索処理９０が行われ、検索要求記号８６として切り出した「＋」をインデックスとして図５のマスタテーブル３６を検索し、検索条件としてのマスタレコード９２を獲得する。
【００４３】
続いて図１１のデータベース検索処理９４により、マスタレコード９２の中の検索データベース名、検索項目名、検索方法、更に分離処理８４で獲得した検索キーワード８８である文字列「フジ」を使用して、この場合には検索条件として指定されたデータベース名に対応するビュー／クエリーデータベース４２、即ち図８のビュー／クエリーデータベース４２を検索する。
【００４４】
このデータベース検索処理９４によって検索リスト９６が検索結果として得られる。この検索リスト９６について、入力リスト作成処理９８によって図１０のマスタレコード９２の検索条件として指定された選択リスト作成対象となる設定項目以降の項目について検索リスト９６から抽出したメモリ格納リスト１００を作成する。
【００４５】
続いて検索表示処理１０２によって、図１６のマスタレコード９２の検索条件で指定された表示項目名としてメモリ格納リスト１００から２番目、３番目、４番目の３つの項目を取り出して選択リスト３１を作成し、図９（Ｂ）のように入力リスト３０に重ね合わせて表示する。
【００４６】
図１２は本発明による入力情報生成処理のフローチャートである。まずステップＳ１で検索要求部３２からの入力文字列を判断し、この文字列の中に検索の必要性を判断する検索要求記号が含まれているか否かチェックする。検索要求記号がふくまれていた場合にはステップＳ２に進み、その記号に対し文字色の変更、文字の点滅、反転などを行う。
【００４７】
続いてステップＳ３で、検索の必要性を判断する検索要求記号からマスタテーブル３６の参照により検索条件を求め、検索対象となるデータベース名や項目名に対し検索を行う。続いてステップＳ４で検索結果の中から抽出の必要にある項目群に該当するデータをメモリ上に記録する。次にステップＳ５で、メモリ上に記録したデータの中から画面上に一覧表示すべき項目名を選択リストとして表示させ、データ選択を行う。最終的にステップＳ６で、選択されたデータから検索結果を設定する項目名のデータを入力リストの入力項目に設定する。
【００４８】
図１３は本発明による入力情報生成処理の入力画面の他の具体例であり、この入力情報生成処理にあっては図９（Ａ）の入力リスト３０の２行目の空き部分の先頭に「／チップ」の文字列を入力している。
【００４９】
この文字列は先頭の１文字が検索要求記号「／」であり、図５のマスタテーブル３６の参照で、例えば検索データベース名が「Ｑ 商品」、検索項目名が「Ｍ ＫＡＮＡ」、検索方法が「完全一致」となる検索条件が獲得され、検索キーワード「チップ」とにより、データベースの検索で図１３（Ｂ）の選択リスト３１が得られている。
【００５０】
この選択リスト３１は図９（Ｂ）の選択リスト３１と対比すると、表示項目が２項目に対し１項目となっている点で相違する。そして選択リスト３１の中の２行目の項目をオペレータが選択することで、図１３（Ｃ）の入力リスト３０のように２行目に商品コードと商品名が設定される。
【００５１】
尚、上記の実施形態はコードと商品名を自動検索して入力リストに設定する場合を例にとるものであったが、本発明はこれに限定されず、適宜の入力項目について同様にして検索要求記号と検索キーワードの組合せを検索要求として入力することで、データベースの検索条件を自動設定して検索結果としての選択リストを表示することができる。
【００５２】
また本発明は上記の実施形態に限定されず、その目的と利点を損なわない適宜の変形を含み、更に実施形態に示した数値による限定は受けない。
【００５３】
【発明の効果】
以上説明してきたように本発明によれば、入力リストの空き項目欄に入力された文字列から検索の必要性を判断し、データベースの自動検索を行って入力文字列に対応したコードや商品名などの複数の選択項目を並べた選択リストを表示してオペレータに選択させることができ、簡単な文字列の入力でコードや商品名などの自動検索の結果が得られ、マウス操作などによって検索画面を開いて検索条件を指定する必要がないため、コードや商品名などの複数項目の入力を必要とするオペレータの入力作業の操作性と作業能率を大幅に向上することができる。
【００５４】
また入力文字列から取得される検索条件としてテーブルに条件を定義しているため、プログラムによる固定的な検索条件とは異なり、オペレータが必要に応じてテーブル上の検索する条件や方法を設定することができ、必要とする入力情報に対応した高い利便性と柔軟性を備える。
【００５５】
更に、テーブル上に定義している検索の必要性を判断する例えば１文字の検索要求記号に簡単な商品名などの検索キーワードを組み合わせて入力するだけで、自動的に検索の必要性を判断して自動検索が行われ、この検索の必要性を判断する検索要求記号は１文字という簡単な記号であることからオペレータは容易に覚えることができ、特に印刷リストなどを見ることなく、入力操作の中のキー入力によって簡単に検索要求の文字列を入力して検索結果の選択リストを得て、必要な選択項目による入力情報の生成が素早く且つ効率よく実現できる。
【図面の簡単な説明】
【図１】本発明の原理説明図
【図２】本発明のハードウェア構成図
【図３】本発明の機能構成のブロック図
【図４】図３の入力文字数テーブルの説明図
【図５】図３のマスタテーブルの説明図
【図６】図３のメーカマスタデータベースの説明図
【図７】図３の商品マスタデータベースの説明図
【図８】図３のビュー／クエリーデータベースの説明図
【図９】検索条件を「前方一致」とし選択リストの項目名を複数表示する場合の本発明による情報入力処理の説明図
【図１０】本発明による情報入力処理の手順を示した説明図
【図１１】図１０に続く情報入力処理の手順を示した説明図
【図１２】本発明による情報入力処理の手順を示したフローチャート
【図１３】検索条件を「完全一致」とし選択リストの項目名を一つ表示する場合の本発明による情報入力処理の説明図
【図１４】従来方法の説明図
【符号の説明】
１０：中央処理装置
１２：メモリ
１４：記憶装置
１６：キーボード
１８：マウス
２０：表示装置
２２：入出力部
２４：検索処理部
２６：定義テーブル
２８：データベース
３０：入力リスト
３１：選択リスト
３２：検索要求部
３４：入力文字数テーブル
３６：マスタテーブル
３８：メーカマスタデータベース
４０：商品マスタデータベース
４２：ビュー／クリエーデータベース
【図１】
0004020291.tif 000002
【図２】
0004020291.tif 000003
【図３】
0004020291.tif 000004
【図４】
0004020291.tif 000005
【図５】
0004020291.tif 000006
【図６】
0004020291.tif 000007
【図７】
0004020291.tif 000008
【図８】
0004020291.tif 000009
【図９】
0004020291.tif 000010
【図１０】
0004020291.tif 000011
【図１１】
0004020291.tif 000012
【図１２】
0004020291.tif 000013
【図１３】
0004020291.tif 000014
【図１４】
0004020291.tif 000015